(57)【要約】      （修正有）【課題】運動選手自らが視覚及び足裏の感触で危険領域に侵入したことを認識し、側壁への衝突を未然に防ぐ屋内運動施設の床構造を提供する。【解決手段】平坦な床１の周囲の全部または一部に設けられた側壁２に沿って一定の幅を有する危険領域１１を設け、この危険領域に対して、運動領域１２とは色彩及び、硬度乃至滑り難さが異なるようにするか、あるいは表面に凹凸を形成する。これにより運動領域１２から危険領域１１に侵入したことを、視覚のみならず足裏の感触によって認識できるので、運動選手が側壁２に衝突する事故を未然に回避することができる。【選択図】図１
0003165304.tif 000002
【実用新案登録請求の範囲】
【請求項１】
平坦な床と、この床の周囲の全部または一部に設けられた側壁とを有し、
上記床は、上記側壁に沿って一定の幅を有する危険領域と、この危険領域の内側に位置する運動領域とを有し、
上記危険領域は、視覚によって上記運動領域と異なる領域であると認識できるように構成してあり、
上記危険領域は、次のＡ、ＢまたはＣのいずれかの１である
ことを特徴とする屋内運動施設の床構造。
Ａ．  上記運動領域より硬度が低くしてある。
Ｂ．  上記運動領域より滑り難くしてある。
Ｃ．  表面に凹凸が形成されている。
【請求項２】
請求項１において、上記危険領域は、上記Ａ、Ｂ及びＣのうち２つ、または３つを備えている
ことを特徴とする記載の屋内運動施設の床構造。
【請求項３】
上記危険領域は、断熱性を備えている
ことを特徴とする請求項１または２に記載の屋内運動施設の床構造。
【請求項４】
上記危険領域は、上記床に着脱自在である
ことを特徴とする請求項１乃至３のいずれかに記載の屋内運動施設の床構造。
【考案の詳細な説明】
【技術分野】
【０００１】
本考案は、視覚及び足裏の感触により、運動選手自ら危険領域に侵入したことを認識することができる屋内運動施設の床構造に関する。
【背景技術】
【０００２】
従来から、運動の練習や試合の最中に発生し得る事故を未然に防ぐ対策がされていた。例えば野球場においては、打球を追う外野手が、前方不注意により外野フェンスに衝突するのを回避するために「ウォーニングゾーン」が設けられている。この「ウォーニングゾーン」には、フィールドの芝とは異なる柔らかい土が敷かれているため、外野選手はスパイクの裏から伝わる感触の変化により外野フェンスに接近していることを認識することができる。
【０００３】
また屋外に限らず屋内の施設においても、歩道に点字ブロックが設けられ、歩行する弱視者に注意を促したり進む方向を示したりしている。特に住居内において、例えば床材の一部に他の部分と異なる部材を埋め込んで凹凸を形成したり、塗装仕上げして滑り難くしたりして、このような床材を歩行する弱視者が、床材の変化を足裏の感触で把握することができる床が提案されている。（例えば特許文献１参照。）。
【先行技術文献】
【特許文献】
【０００４】
【特許文献１】特許２９９２５１９号公報
【考案の概要】
【考案が解決しようとする課題】
【０００５】
しかるに屋内の運動施設においては、床全体が平坦に施工されているだけで、運動選手がこの運動施設の壁面に衝突する事故を未然に回避する対策がなされていない。したがってバレーボール等においては、コート外に落下しそうなボールを追った選手が、壁面やこの壁面手前に設けたベンチ等の障害物に衝突してけがをする事故が後を絶たない。
【０００６】
また上述した特許文献１の弱視者用床は、キッチンや浴室等に誘導する歩行路であって、この歩行路から外に出ないようにすることを目的とするものであり、危険領域に侵入した場合に運動選手に注意を促すことを目的とするものとは発想が全く逆である。また上記弱視者用床の床構造は、例えば住居の壁面から離れた領域に設けられる点で、屋内の運動施設の壁面から一定の幅を有する危険領域に設けられる本願考案とは全く相違する。
【０００７】
さらに屋内運動施設の床構造は、温度が下がって表面が冷たくなり易いため、運動していない控え選手や観戦者等は、危険領域での長時間の観戦により身体を冷してしまう恐れがある。
【０００８】
そこで本考案の第１の目的は、視覚だけでなく足裏の感触によっても運動選手自ら危険領域に侵入したことを認識できる屋内運動施設の床構造を提供することにある。また第２の目的は、危険領域内にいる控え選手や観戦者等を保温することができるようにすることにある。さらに本考案の第３の目的は、必要な場合にのみ危険領域を設けることができるようにすることにある。
【課題を解決するための手段】
【０００９】
上記課題を解決するために、本考案による屋内運動施設の床構造の特徴は、視覚及び足裏の感触によって、危険領域が運動領域とは異なることを認識できる構造にすることにある。すなわち、本考案による屋内運動施設の床構造は、平坦な床と、この床の周囲の全部または一部に設けられた側壁とを有し、上記床は、上記側壁に沿って一定の幅を有する危険領域と、この危険領域の内側に位置する運動領域とを有し、上記危険領域は、視覚によって上記運動領域と異なる領域であると認識できるように構成してあり、上記危険領域は、次のＡ、ＢまたはＣのいずれかの１である。
Ａ．  上記運動領域より硬度が低くしてある。
Ｂ．  上記運動領域より滑り難くしてある。
Ｃ．  表面に凹凸が形成されている。
【００１０】
運動選手は、運動領域から危険領域へ勢いよく走り込む場合が多いため、いち早く床構造が変化したことに気付かなければ、止まり切れず壁面に衝突してしまう。さらに近年の運動選手が履いている運動靴は、ソールにクッション材が装備されて厚底になっているため、運動選手の足裏に危険領域の床構造の変化の感触が届きにくい。そこで上記危険領域は、上記Ａ、ＢまたはＣのうち２つ、あるいは３つを備えていることが望ましい。これにより運動選手は危険領域に侵入したことを、２種類、さらには３種類の足裏の感触から認識できるため、壁面に衝突することを、より確実に回避することができる。
【００１１】
屋内の運動施設では、控えの運動選手や観客等が、側壁に沿って椅子や床に座る場合も多い。特に長時間床に座ったままの場合には、体温が床に吸収されて、控えの運動選手や観客等等の体調を崩したり不快感を与えたりする。そこで上記危険領域は、断熱性を備えていることが望ましい。これにより控えの運動選手や観客等が体を冷さず長時間待機できるようになる。
【００１２】
屋内の運動施設では、例えば定期的に大会や部活動の練習試合が行われ、このような特定の時期のみ、危険領域を設ける必要がある場合も多い。そこで上記危険領域は、上記床に着脱自在であることが望ましい。これにより必要があるときに限って、側壁に沿って危険領域を設けることができる。
【００１３】
ここで「屋内運動施設」とは、例えば学校や公営施設の体育館、または法人が運営するスポーツ施設が該当する。「床」とは、例えばコンクリート等で設けた土台部の上に、フローリング等の硬質素材やゴムチップ、ゴムスポンジ、ポリエチレンフォーム、チップウレタン及びウレタンフォーム等の軟質な樹脂素材を敷設して構成したもの、またはこれらと土台部との間に屈曲板、バネまたはゴム等の緩衝材を設けたものが該当する。「側壁」とは、上記屋内運動施設を構成する外壁のみならず、この施設内に設けた例えば扉や、舞台、用具室、倉庫、トイレ、更衣室及び観客席のいずれかを構成する内壁も該当する。
【００１４】
「危険領域」とは、運動選手が運動中に上記側壁に衝突する恐れがある範囲を意味し、例えば側壁から１ｍ〜５ｍの範囲が該当する。「運動領域」とは、運動選手が競技や練習を行う範囲を示すラインの内側のみならず、例えばこのラインから１ｍ〜５ｍ外側に設けた上記危険領域との境界から内側も該当する。
【００１５】
「視覚によって上記運動領域と異なる領域であると認識できる」とは、危険領域と運動領域との床の素材を異なったものにしたり、危険領域の床の表面にカーペットや絨毯等を敷設したり、危険領域に異なる色の塗料を塗布したりして、危険領域と運動領域との床の表面の色や模様を変えることで、運動選手がこれらの領域の違いを確認できることを意味する。
【００１６】
「Ａ．  上記運動領域より硬度が低くしてある。」とは、例えばＪＩＳ規格「体育館用鋼製床下地構成材の床の硬さ性能試験（JIS A 6519）」で設定されている体育館床の衝撃加速度の規格範囲内（１００Ｇ以下）であって、上記運動領域の床より上記危険領域の床のほうが、衝撃加速度が低いことを意味する。危険領域の硬度を運動領域より低くするには、運動領域の床より硬度が低い素材を用いたり敷設したり、この危険領域の床と土台部との間に上記緩衝材を設けたりするものが該当する。なおこの危険領域の床の硬度は、均一に限らず、側壁に近いほど低くしてあるものも該当する。
【００１７】
「Ｂ．  上記運動領域より滑り難くしてある。」とは、例えばＪＩＳ規格「床材の滑り試験方法（JIS A 5705）」によって測定される「滑り抵抗係数（ＣＳＲ（Conefficient of Slip））」であって、危険領域のＣＳＲが０．５〜０．９で、好ましくは運動領域のＣＳＲとの差が０．２以下であることを意味する。危険領域のＣＳＲを上述したようにするには、危険領域の床の表面に運動領域の床のＣＳＲを超える塗料を塗布したり素材を敷設したり、または危険領域の床に運動領域の床より高いＣＳＲの素材を用いることが該当する。なおこの危険領域の床のＣＳＲは、均一に限らず、側壁に近いほど高くしてあるものも該当する。
【００１８】
「Ｃ．  表面に凹凸が形成されている。」とは、例えばこの凹凸の垂直断面形状が波状や複数の半円形に限らず、角を丸めた複数の三角形や四角形で、運動領域の床と略面一に危険領域の床を設けたことを意味する。
【００１９】
「上記危険領域は、断熱性を備えている」とは、危険領域の床材自体が断熱性を備えている場合に限らず、危険領域に断熱性を備えたパネルや敷物等を敷設する場合も含む。
【００２０】
「上記危険領域は、上記床に着脱自在である」とは、例えば危険領域の床の表面に、カーペット、ビニールシートまたはゴムシート等を、例えば接着材で取り外しができるように貼着して、運動領域より硬度を低くしたり、滑り難くしたり、または凹凸を形成したりすることを意味する。
【考案の効果】
【００２１】
本考案における屋内運動施設の床構造は、床の周囲の全部または一部に設けられた側壁に沿って一定の幅を有する危険領域の内側に運動領域が設けられているため、運動選手はコートの外側に飛び出してもこの運動領域内であれば安全であることを認識できる。また危険領域は、視覚によって運動領域と異なる領域と認識できるばかりでなく、この運動領域より硬度が低くしてあるか、この運動領域より滑り難くしてあるか、または表面に凹凸が形成されているかのいずれか１つ、２つ、あるいは３つの特徴を有するため、運動選手は危険領域に侵入したことを、視覚だけでなく足裏の感触によっても認識することができる。したがって運動選手は、例えば空中のボールを目で追いながら全速力で走ったため運動領域を超えてしまったとしても、側壁に接近していることを自ら認識して側壁への衝突を回避することができる。
【００２２】
また上記危険領域は、断熱性を備えているため、控えの運動選手や観客等が体を冷さず長時間待機できるようになり、特に高齢者や冷え性の女性等は体温低下により体調不良を訴えることなく快適に運動や観戦を行うことができる。さらに上記危険領域を、上記床に着脱自在にすることにより、必要に際してのみ危険領域を設けることができ、あるいは磨耗等した場合に容易に交換することができる。
【図面の簡単な説明】
【００２３】
【図１】屋内運動施設の一部上面図である。
【図２】屋内運動施設の床構造の一部断面図である。
【図３】屋内運動施設の床構造の一部断面図である。
【図４】屋内運動施設の床構造の一部断面図である。
【図５】屋内運動施設の床構造の一部断面図である。
【考案を実施するための形態】
【００２４】
図１〜図５を参照しつつ、本考案による屋内運動施設の床構造の構成及び作用効果を説明する。最初に、図１を用いて本考案による屋内運動施設の一例を説明する。
【００２５】
さて図１に示すとおり、この屋内運動施設は、この屋内運動施設全体を構成する平坦な床１と、この床の周囲の全部または一部に設けられた側壁２とを有する。側壁２は、床１の外周全部に設けられている外壁２１と、この床の一部に設けられている用具室、更衣室及びトイレを形成する内壁２２とを有する。床１は、外壁２１及び内壁２２に沿って一定の幅を有する危険領域１１と、この危険領域の内側に位置する運動領域１２とを有する。危険領域１１と運動領域１２との床の表面は、それぞれ別々の色彩や模様になっている。したがって運動選手は、自分のいる場所や、外壁２１や内壁２２と自らとの距離を、床１の色彩や模様の変化から認識することができる。なお運動領域１２には、例えばバレーボールコートが形成されている。通常バレーボールは、ボールが床１に落ちるまでプレーを続けるため、バレーボールコートより一定の距離離れた外側に危険領域１１と運動領域１２との境界を設けている。また危険領域１１には、外壁２１や内壁２２に沿ってバレーボールの控え選手用ベンチ、観客席及び記録席が設けられている。
【００２６】
図２は、危険領域１１の床の硬度が運動領域１２よりも低くしてある構造を示すものである。ここで床１は、コンクリート部材に複数の支持脚を打ち付た土台部と、この土台部の上に重ねた鉄やアルミ合金等からなる鋼製床の上にさらにフローリング素材やゴムチップ等の樹脂素材を敷設した床部との二重構造になっている。
【００２７】
図２に示すとおり、運動領域１２には、衝撃加速度１００Ｇ以下のフローリング材が設けられているのに対し、危険領域１１には、この運動領域より衝撃加速度が小さく硬度が低いゴムチップ材が設けられている。このため運動選手が危険領域１１に侵入すると、この危険領域のゴムチップ材に圧力が加わるため表面が歪む。したがって運動選手は、運動領域１２から空中のボールを追って危険領域１１に侵入した場合には、この危険領域を足裏の感触から認識することができるため、外壁２１やこの外壁に沿って設けた控え選手用ベンチにいる選手及び観客席にいる観戦者と衝突することを回避することができる。
【００２８】
図３は、危険領域１１１の床の表面が運動領域１１２より滑り難くしてある構造を示すものである。なお図１及び２で示した部品または部位と同等のものは、参照の便宜等のため、図１及び２で示した部品番号に一律１００を加えた番号にしている。
【００２９】
図３に示すとおり、床１０１の危険領域１１１及び運動領域１１２は同一のフローリング材が設けられているが、この危険領域の範囲には、表面に運動領域の表面のＣＳＲを超える滑り難い塗料１１１ａが塗布されている。このため運動選手にとって、塗料１１１ａが滑り止めになり、足裏から床面の摩擦力が高まったことを感知することができる。さらに危険領域１１１の摩擦力が高まることによって、運動選手の制動力も向上する。これにより運動選手が足裏の感触の変化を認識し遅れたとしても、外壁１２１等との衝突を回避し易くすることができる。
【００３０】
図４は、危険領域２１１の表面に複数の凹凸部２１１ａが形成されている構造を示すものである。図４に示すとおり、凹凸部２１１ａは垂直断面形状が波状になっており、波状の頂部が運動領域床部２１２と略面一になるように設けられている。したがって運動選手の足裏に凹凸部２１１ａの凸部分の感触が伝わり易いため、クッション材が装備されている厚底の運動靴を履いていても、床構造の変化を迅速に認識することができる。
【００３１】
なお図示しないが、危険領域に対して、上述した硬度を低くすること、滑り難くすること、あるいは表面に凹凸を形成することのうち、いずれか２つ、または３つを備えるように構成してもよい。
【００３２】
図５は、着脱自在な危険領域３１１が形成されている構造を示すものである。図５に示すとおり、危険領域３１１の表面には、運動領域３１２より硬度が低い例えば断熱性のカーペットが、取り付けや取り外しが可能なように、接着剤等で仮設してある。したがって運動選手が足裏の感触で危険領域３１１への侵入を認識できるだけでなく、このカーペットによって外壁２１に沿って特設された控え選手席で待機する運動選手や観客席で応援する観戦者を保温し、身体を冷すことなく長時間観戦できるようになる。またこのようなカーペットは、必要がある場合にのみ取り付けることが可能となり、さらには磨耗や損傷した場合には、容易に交換ができる。
【産業上の利用可能性】
【００３３】
側壁に沿って一定の幅を有する危険領域を設けることができるため、屋内運動施設の施工業に限らず、カーペット業や塗装業等に関する産業に広く利用可能である。
【符号の説明】
【００３４】
１、１０１〜３０１            床
１１、１１１〜３１１          危険領域
１２、１１２〜３１２          運動領域
２                            側壁
【図１】
0003165304.tif 000003
【図２】
0003165304.tif 000004
【図３】
0003165304.tif 000005
【図４】
0003165304.tif 000006
【図５】
0003165304.tif 000007